(57)【要約】地理的に広がった複数のサービスエリアにサービスを提供する移動通信システムの少なくとも１つの専用サービスエリアにおいて移動局の存在を確定するための方法およびシステム。その専用サービスエリアもしくは各専用サービスエリアを含むサービスエリアからサービスを受ける位置で移動局の存在に関する位置情報を提供するために、移動局がトリガされる。移動局によって提供される位置情報とその専用サービスエリアもしくは各専用サービスエリアに関して記憶された位置情報とを比較することによって、その専用サービスエリアもしくは各専用サービスエリアにおける移動局の存在が確定される。専用サービスエリアの中に存在する場合、移動局は、移動局が権利を持つ専用サービスを自動的に受ける。専用サービスを受けていることは、移動局のユーザに自動的に示される。
2009514276.tif 000002
【特許請求の範囲】
【請求項１】
地理的に広がった複数のサービスエリアにサービスを提供する移動通信システムの少なくとも１つの専用サービスエリアにおいて移動局の存在を確定する方法であって、
ａ）前記専用サービスエリアもしくは各専用サービスエリアにサービスを提供している通信システムから前記移動局がサービスを受けるかどうか判断するステップと、
ｂ）前記専用サービスエリアもしくは各専用サービスエリアを含むサービスエリアから前記移動局がサービスを受けるかどうか判断するステップと、
サービスを受けるのであれば、
ｃ）前記移動局が、前記専用サービスエリアもしくは各専用サービスエリアを含む前記サービスエリアからサービスを受ける位置で前記移動局の存在に関する位置情報を提供することを開始させるステップと、
ｄ）前記移動局によって提供される前記位置情報と前記専用サービスエリアもしくは各専用サービスエリアに関して記憶された位置情報とを比較することによって、前記専用サービスエリアもしくは各専用サービスエリアにおいて前記移動局の存在を確定するステップと
を有する方法。
【請求項２】
サービスエリアが地理的に広がった複数のサービスセルを含むことを特徴とし、かつ、前記移動局が別のセルからサービスを受ける位置で前記位置情報を提供することを特徴とする請求項１に記載の方法。
【請求項３】
前記専用サービスエリアもしくは各専用サービスエリアを含むあるサービスエリアから前記移動局がもはやサービスを受けないと判断される場合には、前記移動局が前記位置情報を提供することを中止させることを特徴とする請求項１または２に記載の方法。
【請求項４】
前記専用サービスもしくは各専用サービスを前記移動局に提供するように構成された移動通信システムから前記移動局がサービスを受ける場合、前記専用サービスエリアもしくは各専用サービスエリアの中に存在する移動局に少なくとも１つの専用サービスを提供する請求項１、２または３に記載の方法。
【請求項５】
提供されることになる前記専用サービスもしくは各専用サービスは、
特定の移動局と、
特定の移動局グループと、
前記専用サービスエリアもしくは各専用サービスエリアと
を備えるグループのうち少なくとも１つの専用であることを特徴とする請求項４に記載の方法。
【請求項６】
前記移動局が前記専用サービスエリアもしくは各専用サービスエリアの中に存在し、かつ、前記移動局が、前記専用サービスもしくは各専用サービスを移動局に提供するように構成されていない移動通信システムからサービスを受けている場合、前記移動局は、前記専用サービスもしくは各専用サービスを前記移動局に提供するように構成されている前記移動通信システムからサービスを受けるように強制されることを特徴とする請求項４または５に記載の方法。
【請求項７】
前記専用サービスエリアもしくは各専用サービスエリアの中の前記移動局の存在を前記移動局のユーザに対して表示する請求項４、５または６に記載の方法。
【請求項８】
前記表示が、
専用移動通信システムの名称を前記移動局の画面上に表示することと、
前記移動局の画面上に専用アイコンを表示することと、
前記移動局による専用音声警告を提供することと
を有するグループのうち少なくとも１つを含むことを特徴とする請求項７に記載の方法。
【請求項９】
移動局ＩＤに固有の識別子に対して専用サービスエリアが割り当てられ、前記移動局ＩＤが前記位置情報と共に前記移動局によって提供されることを特徴とする請求項１、２、３、４、５、６、７または８に記載の方法。
【請求項１０】
前記専用サービスもしくは各専用サービスを含むサービスエリアからサービスを受けることは、移動通信システムのロケーション・レジスタのような管理機能への前記移動局の登録から判断されることを特徴とする請求項１、２、３、４、５、６、７、８または９に記載の方法。
【請求項１１】
前記専用サービスエリアもしくは各専用サービスエリアにサービスを提供している通信システムからサービスを受けることは、移動通信システムのホーム・ロケーション・レジスタおよび在圏ロケーション・レジスタまたはそのいずれかへの前記移動局の登録から判断されることを特徴とする請求項１０に記載の方法。
【請求項１２】
地理的に広がった複数のサービスエリアにサービスを提供する移動通信システムの少なくとも１つの専用サービスエリアにおいて移動局の存在を確定するためのシステムであって、
前記専用サービスエリアもしくは各専用サービスエリアを定める位置情報を記憶するためのデータベース手段と、
位置情報およびＩＤ情報およびコマンド情報を前記移動局と交換するための手段と、
ホーム・ロケーション・レジスタのような、移動通信システムの管理情報を交換するための手段と
に動作可能に接続された処理手段を備え、
前記処理手段が、請求項１乃至１１のいずれかの方法によって動作するように構成されていることを特徴とするシステム。
【請求項１３】
前記処理手段が、ホーム・ロケーション・レジスタのような、複数の移動通信システムの管理情報を交換するための手段に動作可能なように接続することを特徴とする請求項１２に記載のシステム。
【請求項１４】
前記処理手段が、移動局ＩＤに固有の識別子によって指定された前記専用サービスエリアもしくは各専用サービスエリアの中で移動局の存在を確定するための設備およびサービスの実行手段に動作可能なように接続することを特徴とする請求項１２または１３に記載のシステム。
【請求項１５】
前記処理手段が、管理兼制御端末に動作可能なように接続することを特徴とする請求項１２、１３または１４に記載のシステム。
【請求項１６】
請求項１乃至１５のいずれか１項に記載の方法またはシステムにおいて使用される移動局であって、位置情報を提供するための手段を備えた移動局。
【発明の詳細な説明】
【技術分野】
【０００１】
本発明は、一般に、移動通信端末および無線ネットワーク基盤と、固定通信端末と、アプリケーションノードと、転送ネットワークとを備えた移動通信システムに関する。詳細には、本発明は、少なくとも１つの専用サービスエリアの中で移動局の存在を確定して専用サービスエリアからサービスを受ける移動通信端末のユーザに情報を配信するための方法およびシステムの実現を容易にし、そして、専用サービスエリア内の通信システムによって提供されるサービスと設備との実現を容易にする。
【背景技術】
【０００２】
最先端の通信システムは、相互接続ネットワークによって接続された多数の通信端末およびノードを備えている。通信システムは、通信システムの通信端末を介して通信システムのユーザに設備とサービスとを提供する。
【０００３】
現在の通信端末は、アクセスポイントを介した相互接続ネットワークへの複数の物理的アクセスの可能性を有することがある。物理的アクセスは、例えば一般にＷＬＡＮ、ＧＳＭ、ＧＰＲＳ、ＵＭＴＳ、ＤＥＣＴのような頭字語で知られる電磁スペクトルの無線周波数部分を用いる無線リンクまたはブルートゥースに基づいてもよいし、あるいは赤外ポート等のような電磁スペクトルの別の部分を利用してもよい。これらのタイプのアクセスは通常、ワイヤレスアクセスもしくはセルラーアクセスとして識別される。さらに、固定回線接続が、電気的、光学的、もしくはそれと同等の情報搬送手段を利用して通信システムの一部を形成してもよい。これらは一般に、ＡＤＳＬ、ＳＤＳＬ、ケーブルモデム、ＬＡＮ、ＩＳＤＮ、または通常のＰＳＴＮ等のような頭字語で知られ、一般に有線アクセスとして識別される。
【０００４】
物理的アクセスとしてワイヤレス接続だけを行う通信端末は、移動端末として識別される。
【０００５】
物理的アクセスに加えて、端末は、例えば、交換機による音声呼、ＩＰ電話、ＳＭＳ、ＭＭＳ、インターネット閲覧、電子メールのような、ただしそれらに限定されない通信システムによって提供される設備およびサービスに対する、複数の機能的アクセスの可能性を有してもよい。
【０００６】
通信システムはさらに、管理機能、課金機能、および実行機能を有する。実行機能は、通信システムの設備およびサービスを実際に提供する。管理機能は、各種の項目、例えば、サービスおよび設備に対するユーザの加入登録、ユーザ端末の機能的アクセスおよび物理的アクセスの接続状態、設備およびサービスについての許容割当量、ユーザ認証、端末認証、パスワード等を登録する。通信システムにおける課金機能は、設備およびサービスの実際の利用を登録し、実際の利用を課金すべき数量に換算し、課金情報を通信ネットワーク内外の課金システムに転送する。
【０００７】
最先端の通信システムは、複数の当事者を含んでおり、彼らは通信システムのユーザにサービスおよび設備を提供する。これらの当事者は、「プロバイダ」としてさらに識別される。プロバイダは、競争力のあるサービスおよび設備を提供する。
【０００８】
ワイヤレス通信ネットワークが、より広い地理的エリアにわたっているとき、それはＰＬＭＮ（Ｐｕｂｌｉｃ  Ｌａｎｄ  Ｍｏｂｉｌｅ  Ｎｅｔｗｏｒｋ：公衆陸上移動通信網）として識別される。ＰＬＭＮの例として、ＧＳＭ、ＧＰＲＳ、ＵＭＴＳがあげられる。ＰＬＭＮを介したアクセスを有する移動端末は、通常、ＭＳ（移動局）として識別される。
【０００９】
多数の移動局を取り扱うことを目的として、ＰＬＭＮは、地理的に１つ以上のＶＬＲ−ＳＡ（在圏ロケーション・レジスタ「ＶＬＲ」−サービスエリア「ＳＡ」）に分割される。典型的には、ＶＬＲ−ＳＡは、次には１つ以上のＬＳＡ（ロケーション・サービス・エリア）を含んでもよい。ＶＬＲ−ＳＡの分割は、すべてのユーザ（移動局）について有効である。ＬＳＡは、多様なアクセス権をユーザに提供するだけでもよい。一般に、サービスエリアは、サービスセルと呼ばれる複数のより小さい地理的エリアに再分割される。
【００１０】
またユーザは、一般にゾーンとして識別される特定のまたは専用の地理的エリアすなわちサービスエリアへの加入登録を行ってもよい。ゾーンは、ユーザに専用のサービスを提供する可能性を提供したり、また、例えば特定のユーザもしくはユーザグループに合わせたサービスおよび設備の実行または例えばそれらの課金の用意をする可能性を提供したり、またはその両方を提供する。ゾーンは、ＰＬＭＮのセルを１つ以上含んでもよく、またゾーンは、ＬＳＡの内側に存在してもよい。ユーザのゾーンの例としては、ホームゾーンやオフィスゾーンと呼ばれるものがある。ホームゾーンは、ユーザの居住用住宅を対象とするＰＬＭＮの１つのセルもしくは複数のセルを含み、オフィスゾーンは、ユーザのビジネスの場所のエリアを対象とする１つ以上のセルを含む。また、例えば、祭りや大規模なスポーツイベント等のために、一時的ゾーンが確立されてもよい。
【００１１】
ゾーンは、プロバイダに、例えばそれらの料金設定のみならずサービスおよび設備の提供において自分達を差別化する可能性を提供する。
【００１２】
専用サービスエリアもしくは専用サービスゾーンという概念は、ゾーン概念の実施ともども、最先端技術ではよく知られている。しかし、既存のシステムおよび方法の大きな欠点は、移動局がゾーンの中に存在するかどうかを確定して、対応する専用サービスを提供するために、複数のサービスおよび設備が、各々別々に移動局を追跡し続けるということである。
【００１３】
従って、通信システムの中の管理機能もしくは管理ノードに頻繁に問い合わせる必要がある。これは、これらの管理機能もしくは管理ノード、例えばＨＬＲ（ホーム・ロケーション・レジスタ）に、極度のかつ過度の負荷を与える。
【発明の開示】
【発明が解決しようとする課題】
【００１４】
本発明は、その第１の態様において、移動局が移動通信システムの専用サービスエリアもしくはゾーンの中に存在するかどうかを確定するための改良された方法を、移動通信システムの既存の管理機能もしくは管理ノードに過度の負荷を課すことなく提供することを、その目的とする。
【００１５】
本発明は、その第２の態様において、移動局が専用サービスエリアからサービスを受けるかどうかを表示するための方法を提供することを、その目的とする。
【００１６】
本発明は、その第３の態様において、本発明による方法を実装して使用するためのシステムおよび移動局に関連する。
【課題を解決するための手段】
【００１７】
本発明の第１の態様によって、地理的に広がった複数のサービスエリアにサービスを提供する移動通信システムの少なくとも１つの専用サービスエリアにおいて移動局の存在を確定する方法が提供され、その方法は、以下のステップを含む。
【００１８】
ａ）前記専用サービスエリアもしくは各専用サービスエリアにサービスを提供している通信システムから前記移動局がサービスを受けるかどうか判断すること、
ｂ）前記専用サービスエリアもしくは各専用サービスエリアを含むサービスエリアから前記移動局がサービスを受けるかどうか判断すること、
サービスを受けるのであれば、
ｃ）前記移動局が、前記専用サービスエリアもしくは各専用サービスエリアを含む前記サービスエリアからサービスを受ける位置で前記移動局の存在に関する位置情報を提供することを開始させること、
ｄ）前記移動局によって提供される前記位置情報と前記専用サービスエリアもしくは各専用サービスエリアに関して記憶された位置情報とを比較することによって、前記専用サービスエリアもしくは各専用サービスエリアにおいて前記移動局の存在を確定すること。
【００１９】
本発明による方法は、専用サービスエリアを含むサービスエリアから移動局がサービスを受ける場合に限って移動局によって位置情報を提供することによって、移動局の存在を確定するための位置質問要求によって、ＨＬＲのようなネットワーク管理機能もしくはネットワーク管理ノードのオーバフローを防ぐ。本発明による方法は、移動局が専用サービスエリアもしくはゾーンに進入する本当の可能性がある場合に位置情報が提供されるような、適応型管理精度を適用する。位置情報は移動局によって提供されることから、本発明による方法は、例えば、ネットワークオペレータまたはサービスオペレータによって提供される仮想私設網（ＶＰＮ）のような（ただしそれに限定されることはない）、移動通信システムの内部もしくは外部で運用される複数のサービスに柔軟に実装される。
【００２０】
サービスエリアが複数の地理的に広がったサービスセルを含む、本発明の好適な一実施形態において、移動局は、別のセルからサービスを受ける位置で位置情報を提供する。過度のシグナリング負荷を防ぐため、位置情報は、移動局がセルの境界を越える場合に限って提供される。
【００２１】
当業者には分るはずだが、移動局にはその動作の間、セルＩＤ情報が利用可能であり、そのセル情報は、移動局へのサービスが１つのセルから別のセルに変更されるかどうかを確定するのに有利に使用される。
【００２２】
本発明のさらなる一実施形態によると、専用サービスエリアを含むあるサービスエリアから移動局がもはやサービスを受けない場合には、移動局は、位置情報を提供することを中止させられる。そのような場合、上記のステップａ）乃至ｄ）が、いわば逆の順序で実行される。
【００２３】
移動局が専用サービスエリアの中に存在して、そのような専用サービスエリアにサービスを提供するように構成された移動通信システムからサービスを受ける場合、移動局が権利を持つ、または加入登録している少なくとも１つの専用サービスが、移動通信システムによって自動的に提供される。
【００２４】
その専用サービスまたは各専用サービスは、特定の移動局を含むグループか、特定の移動局グループかのうち少なくとも一方の専用とされてもよく、そして、少なくとも１つの専用サービスエリアの専用とされてもよい。すなわち、特定のサービスもしくは複数のサービスが、オフィスゾーンの中の移動局グループに提供されてもよいし、ホームゾーンの中の、または例えば特定のイベントにサービスを提供する一時的なサービスエリアの中の、１人の加入者の１つの移動局に提供されてもよい。
【００２５】
本発明の好適な一実施形態において、移動局が、その専用サービスエリアもしくは各専用サービスエリアの中に存在し、そして移動局が、その専用サービスもしくは各専用サービスを移動局に提供するように構成されていない移動通信システムからサービスを受けている場合、移動局は、その専用サービスもしくは各専用サービスを移動局に提供するように構成されている移動通信システムからサービスを受けるように強制される。本発明のいわゆるゾーン強制機能によって、移動局が、そのような専用サービスエリアもしくは複数のサービスエリアに専用サービスを提供するように構成された移動システムから、その専用サービスエリアもしくは各専用サービスエリアに進入するかどうかには依存せず、移動局は常に、専用サービスエリア内で専用サービスを受ける。
【００２６】
実際には、加入登録ベースであるか否かを問わず、移動局ＩＤを用いて、専用サービスエリアが、移動局に割り当てられる。
【００２７】
本発明の好適な一実施形態において、移動局ＩＤ（ＩＭＳＩ）に固有の識別子に対して専用サービスエリアが割り当てられ、その移動局ＩＤは、位置情報と共に移動局によって提供される。ＩＭＳＩは、移動局の移動できる部分を形成する加入者ＩＤモジュール（ＳＩＭ）上に位置する。
【００２８】
本発明による方法のさらなる実施形態において、その専用サービスもしくは各専用サービスを備えるサービスエリアからサービスを受けることは、移動通信システムの在圏ロケーション・レジスタのような管理機能への移動局の登録から判断される。
【００２９】
一般に、移動局は、ホーム通信システムと呼ばれる特定の移動通信システムに加入登録される。移動局が、ホームシステムがサービス提供するサービスエリアの中に存在するのか、あるいは別の在圏通信システム内に存在するのかが、一般にホーム・ロケーション・レジスタ（ＨＬＲ）とも呼ばれる、ホームシステム内の管理機能によって登録される。
【００３０】
従って、本発明のさらなる実施形態において、その専用サービスエリアもしくは各専用サービスエリアにサービスを提供している通信システムからサービスを受けることは、例えば移動通信システムのホーム・ロケーション・レジスタのような、管理機能への移動局の登録から判断される。
【００３１】
本発明の第２の態様によって、その専用サービスエリアもしくは各専用サービスエリアの中の移動局の存在が、移動局のユーザに対して表示される。そのような表示は、以下を有するグループのうち少なくとも１つを含むことが望ましい。
−専用移動通信システムの名称を移動局の画面上に表示すること、
−移動局の画面上に専用アイコンを表示すること、そして、
−移動局による専用音声警告を提供すること。
【００３２】
音声警告は、例えば、応答しても無料であるような呼についてユーザに対して特別に音声警告を出す等、提供される多様な専用サービスに合わせて多様であってもよい。
【００３３】
本発明の第３の態様によって、地理的に広がった複数のサービスエリアにサービスを提供する移動通信システムの少なくとも１つの専用サービスエリアにおいて移動局の存在を確定するためのシステムが提供され、システムは、
−その専用サービスエリアもしくは各専用サービスエリアを定める位置情報を記憶するためのデータベース手段と、
−位置情報、ＩＤ情報、コマンド情報を移動局と交換するための手段と、
−例えばホーム・ロケーション・レジスタのような、移動通信システムの管理情報を交換するための手段と
に動作可能なように接続された処理手段を備えており、処理手段は、上記で開示した本発明の方法によって動作するように構成されている。
【００３４】
処理手段は、移動通信システムの内部および外部またはそのいずれかに存在してもよく、外部の場合、例えば、適切にプログラムされたゾーン・サーバの中でもよい。
【００３５】
本発明のシステムのさらなる実施形態において、処理手段は、例えばホーム・ロケーション・レジスタのような、複数の移動通信システムの管理情報を交換するための手段に動作可能なように接続することが望ましい。この実施形態では、移動局が専用サービスエリア内に存在するけれども移動局に専用サービスを提供するように構成された移動通信システムからサービスを受けていない場合に専用サービスを受ける目的で、処理手段またはゾーン・サーバが、移動局を適切な管理機能に登録するための管理機能（例えばＨＬＲ）と直接通信してもよいことから、ゾーン強制を非常に容易に実施することができる。
【００３６】
本発明のさらなる実施形態において、処理手段が、移動局ＩＤの一意のＩＤによって指定されたその専用サービスエリアもしくは各専用サービスエリアの中で移動局の存在を確定するための設備およびサービス実行手段に、動作可能なように接続する。設備および接続サービスは、とりわけ、あるゾーン内の実際の存在をゾーン・サーバに問い合わせるように構成されてもよいし、そのＩＭＳＩによって指定される特定の移動局のいかなるゾーン内の存在をゾーン・サーバに問い合わせるように構成されてもよい。加えて、ゾーン、ＰＬＭＮおよびＩＭＳＩの特定の組み合わせの存在の状態の変更への加入登録を開始もしくは中止することもできる。
【００３７】
本発明のさらなる実施形態において、管理および制御を目的として、例えばゾーン・データベース内の新規ゾーンレコードを編集または削除または作成するために、処理手段またはゾーン・サーバは、端末への接続を行う。
【００３８】
本発明はさらに、上記のように方法およびシステムの中で使用する移動局に関するものであり、移動局は位置情報を提供するための手段を備える。
【００３９】
今度は本発明について、添付の図面を参照しながら例をあげてもっと詳細に記述しよう。
【発明を実施するための最良の形態】
【００４０】
いかなる限定をもすることなく、今度は本発明について、セルラー移動通信環境における本発明の典型的な実施形態を参照しながら説明しよう。
【００４１】
図１は、ＰＬＭＮ間、ＶＬＲ−ＳＡ間、ＬＳＡ間、およびゾーン間の地理的関係を示す。例えばＧＳＭというような同じタイプの２つのＰＬＭＮ同士は、わずかな境界エリア（ＩＩＩ）だけを共有する。移動局は、境界エリアに存在するときは両方のＰＬＭＮにアクセスでき、そうでなければ、１つのＰＬＭＮにアクセスできるだけである。ＰＬＭＮ同士が、例えばＧＳＭとＵＭＴＳというように、同じタイプでない場合、ＰＬＭＮは、相互に、全体的もしくは部分的にオーバラップしてもよい。ＰＬＭＮの地理的エリアは、１つ以上のＶＬＲ−ＳＡに分割される。ＶＬＲ−ＳＡの地理的エリアの内側には、１つ以上のＬＳＡ（Ｉ）が存在する。ＬＳＡ（Ｉ）の内側には、１つ以上のゾーン（ＩＩ）が存在し、セル（Ａ、Ｂ、Ｃ、およびＤ）によってカバーされる地理的エリアを含む。
【００４２】
移動局は、ホームＰＬＭＮとして１つ以上のＰＬＭＮの中に登録される。それ以外のＰＬＭＮにおいては、移動局は、そのＰＬＭＮの地理的エリアの中に存在する場合、訪問者として登録されるであろう。ゾーンは、それがその移動局にとってのホームＰＬＭＮである場合はそのＰＬＭＮの中だけで、または、ホームＰＬＭＮと同じオペレータによって所有される場合は訪問先の（在圏）ＰＬＭＮの中だけで、定義することができる。
【００４３】
図２は、１つ以上のＰＬＭＮ（２３ａ、２３ｂ、２３ｃ）を含む通信システムを示す。通信システムは、さらに、ゾーン・データベース（２１）に接続するゾーン・サーバ（２０）を含む。ゾーン・サーバは、各ＰＬＭＮの中の管理機能（２５）に接続する。ＧＳＭタイプもしくはＵＭＴＳタイプのＰＬＭＮについては、管理機能はＨＬＲ（ホーム・ロケーション・レジスタ）と呼ばれる。また、ゾーン・サーバは、アクセスポイント（２７）およびゲートウェイ（２６）を介して移動局（２８）に接続する。両方の接続は、移動局が存在する地理的エリアの中の情報をゾーン・サーバに提供する。ゾーン・データベースは、移動局のＩＭＳＩ毎に、ＰＬＭＮ毎に、定義されたゾーン毎に、１つのレコードを有する。レコードはそれぞれ、定義されたゾーンの中の移動局の存在の状態を保持する。
【００４４】
また、ゾーン・サーバは、機能を実行する設備およびサービスにも接続する（２２ａ、２２ｂ、２２ｃ、２２ｄ）。設備およびサービスは、あるゾーン内の実際の存在について、または、そのＩＭＳＩによって指定される特定の移動局のいかなるゾーン内の存在についても、ゾーン・サーバに問い合わせてよい。加えて、設備およびサービスは、ゾーン、ＰＬＭＮおよびＩＭＳＩの特定の組み合わせの存在状態の変更への加入登録を開始もしくは中止することができる。また、ゾーン・サーバは、ゾーン・データベース内の新規ゾーンレコードを編集または削除または作成するために、端末（２９）への接続を行う。端末は、通信システムのアクセスポイント（３０）の１つを介して通信システムに操作上接続する。通信システムの転送ネットワークは、アクセスポイントとゾーン・サーバ間の接続を確立する。
【００４５】
本発明によるゾーン・サーバの利点は、複数のＰＬＭＮにサービス提供できることである。従って、複数のＰＬＭＮを有するオペレータは、１個のゾーン・サーバおよびゾーン・データベースを使って、それらすべての中にあるゾーンを取り扱うことができる。
【００４６】
また、本発明によるゾーン・サーバは、ゾーン内の移動局の存在についてその移動局のユーザに通知するという利点がある。
【００４７】
本発明によるゾーン・サーバは、ゾーン強制を提供してもよい。ゾーン強制は、移動端末が２つの異なるＰＬＭＮの境界エリアもしくはオーバラップエリアの中にいる場合に必要である。第１のＰＬＭＮは、移動端末のホームＰＬＭＮであり、オーバラップエリアもしくは境界エリアの内側に位置するゾーンを有する。移動端末が、自分が訪問者である第２のＰＬＭＮに現時点で存在する場合、ゾーンに進入する場合には、在圏ＰＬＭＮへの接続が持続するため、ホームＰＬＭＮへの変更は起こらないであろう。本発明によるゾーン・サーバの利点は、移動局をホームＰＬＭＮへ自動的に強制し、移動局がゾーン内に存在するとして登録されることである。
【００４８】
ゾーン・データベース
ゾーン・サーバ（２０）は、管理データおよび動作データを記憶するためにゾーン・データベース（２１）を用いる。記憶されたデータは、４つのグループに分けられる。ゾーン・データベースの内容の概要を図４に示す。
【００４９】
第１のグループは、ゾーン・サーバの起動に用いられる一般的な管理データ（４０）である。
【００５０】
第２のグループは、ゾーンレコード（４２）を持つゾーン・テーブル（４１）である。ゾーンレコードフィールドは、「ＩＤ」（ゾーンレコードＩＤ）と、「ＩＭＳＩ」（移動局ＩＤ）と、「状態」（存在の状態）と、「ＰＬＭＮ」（ゾーンが存在するホームＰＬＭＮ）と、「ＶＬＲ」（ゾーンが存在するＶＬＲ−ＳＡ）と、「ＬＳＡ」（ゾーンが存在するＬＳＡ）と、「ゾーン」（ユーザ端末上に表示されるゾーンの名称）と、「セル」（ゾーンを構成するセルのリスト）とを含む。
【００５１】
あるゾーンに対して固有のＩＤを有することは、同じタイプの複数のゾーン、たとえば複数のオフィスゾーンを作成するという利点をユーザに与える。状態フィールドは、「外」（移動局の現在位置は、そのゾーンのホームＰＬＭＮの外にある）と、「ＰＬＭＮ」（移動局はそのゾーンのホームＰＬＭＮの中に存在するが、そのゾーンを有するＶＬＲ−ＳＡの中にはまだ存在しない）と、「ＶＬＲ」（移動局はそのゾーンを有するＶＬＲ−ＳＡの中に存在するが、そのゾーンを有するＬＳＡの中にはまだ存在しない）と、「ＬＳＡ」（移動局はそのゾーンを有するＬＳＡの中に存在するが、実際のゾーン自体の中にはまだ存在しない）と、「ゾーン」（移動局はそのゾーンの中に存在する）との値をとりうる。ＰＬＭＮフィールド、ＶＬＲフィールド、ＬＳＡフィールドには、ゾーンが存在する実際のＰＬＭＮ、ＶＬＲ、ＬＳＡが入る。ＰＬＭＮ、ＶＬＲ、ＬＳＡのＩＤは、責任のある管理機能の着信先アドレス、例えばＰＬＭＮ＝ＨＬＲの着信先アドレス等によって有利に置き換えられてもよい。
【００５２】
ゾーン強制については、ゾーンレコードのシャドーレコードが、ゾーン・テーブルの中に存在する。シャドーレコードは、ゾーンレコードと同じフィールドを有する。しかし、内容は若干異なる。シャドーゾーンは在圏ＰＬＭＮの中で定義されるため、ＬＳＡフィールドは空である。移動機能は存在しないこともあるだろうし、存在した場合でも、別の事業者に所属するのだから、アクセスできないこともあるだろう。ＰＬＭＮフィールドは、ＨＬＲアドレスを有しないが、代わりに在圏ネットワーク内でＶＬＲ−ＳＡを指定するＶＬＲアドレスを有する。従って、ＰＬＭＮフィールドとＶＬＲ−ＳＡフィールドとは、同じ値を有する。移動局が存在するＶＬＲ−ＳＡのＶＬＲアドレスは、移動局のＨＬＲの中に維持される。
【００５３】
ゾーン・テーブルは、非常に頻繁にアクセスされるため、ＩＤフィールドとＩＭＳＩフィールドとの両方に二重にインデックスが付けられている。直接参照のために用いられるフィールドはこれら２つだけであることから、これによってさらなる高速アクセスという利点がもたらされる。
【００５４】
第３のグループは、ゾーンにおけるＩＭＳＩの進入または退出の通知に加入登録するサービスもしくは設備の各々について１つの加入レコード（４４）を保持する、加入テーブル（４３）である。加入レコードは、ゾーンＩＤと、加入するサービスもしくは設備の宛先の詳細とを含む。
【００５５】
第４のグループは、認証レコード（４６）を含むテーブル（４５）である。各レコードは、メンテナンスアクセスを添えて端末における詳細を指定する。これには、少なくとも参加許可のためのパスワードを含むユーザＩＤが含まれるが、メンテナンス用にアクセスが許可される固有の端末の証明書のような項目を付けて拡張されてもよい。
【００５６】
オプションとして、ゾーン・サーバまたはその別機能が、起動時にゾーン・データベースから読み取られてゾーン・データベースの更新と並行して更新される、ローカルなキャッシュメモリを有してもよい。このオプションには、読取性能が向上し、ゾーン・データベースのアクセススピード要件が限度内に収まるという利点がある。
【００５７】
図３は、ゾーン・サーバを詳細に示す図である。ゾーン・サーバは、３つのセクション（Ｉ、ＩＩ、ＩＩＩ）で構成される。セクション１（Ｉ）は、地理的エリア内で移動局の存在を追跡し続ける。セクション２（ＩＩ）は、存在情報についての設備およびサービスからの要求を取り扱う。セクション３（ＩＩＩ）は、ゾーン定義の新設や編集、削除のためのメンテナンスアクセスを取り扱う。
【００５８】
セクション１は、比較器（３１）と、中間ＦＩＦＯ（３２）と、ゾーン状態シーケンサ（３３）とを備える。比較器は、移動局のための現在の地理的エリアメッセージと地理的エリアの変更メッセージとを受信する。現在のＰＬＭＮもしくはＶＬＲ−ＳＡに関するメッセージ、またはＰＬＭＮもしくはＶＬＲ−ＳＡの変更に関するメッセージは、接続（１０８）を介してＨＬＲから受信される。現在のＬＳＡに関するメッセージもしくはＬＳＡの変更に関するメッセージは、接続（１０９）を介してＨＬＲの中の移動管理機能から受信される。現在のセルに関するメッセージもしくはセルの変更に関するメッセージは、移動局から受信される。各メッセージは、移動局のＩＭＳＩと、移動局が存在するかまたは進入した地理的エリアのタイプと値とを含む。受信した各メッセージについて、比較器は、ＩＭＳＩが合致する場合にはゾーン・データベースからゾーンレコードを検索する。複数の合致を検索して処理することによって、隣接ゾーンおよび複数のＰＬＭＮの取扱が両方共可能になると共にゾーン強制も可能になる。
【００５９】
比較器は、各ゾーンレコードを修正し、それを中間ＦＩＦＯに書き込む。修正には、ゾーンレコードのセルリストを、（「ＰＬＭＮ」、「ＶＬＲ」、「ＬＳＡ」もしくは「ゾーン」を含む）地理的エリアフィールドおよび（「＝」もしくは「≠」を含む）合致フィールドと置き換えることが含まれる。地理的エリアフィールドには、受信したメッセージの中に記述されたタイプの地理的エリアの値が入る。合致フィールドには、メッセージの中に記述された地理的エリアの値と、受信したメッセージの中に記述されたタイプの地理的エリアと同じタイプを有するゾーンレコードの中の地理的エリアフィールドのうちの１つの中の値との比較に基づく値が入る。比較器はさらに、２つのフィールドが同じ値を有する場合に現在の状態を含めるという特徴も有する。ＰＬＭＮとＶＬＲ−ＳＡとが同じ値を有するならば、比較器は、状態フィールドが「外」を含む場合、ＰＬＭＮフィールドの比較を行う。現在状態フィールドがＰＬＭＮもしくはＶＬＲを含む場合、比較器は、ＶＬＲ−ＳＡフィールドの比較を行う。この特徴によって、ゾーン強制が容易になる。
【００６０】
ゾーン状態シーケンサ（３３）は、地理的エリア内の移動局の存在を追跡するため、階層エリア方法を実行する。この方法には、移動ネットワーク内の管理機能の負荷をさらに減らすという利点がある。この方法の中核は、地理的エリアの変更についての管理機能もしくは管理ノードへの加入登録は、移動局が上位の地理的エリアへ進入する場合に限って行われるということである。例えば、ある移動局のためのＬＳＡの変更についての加入登録は、移動局が、ゾーンを含むＶＬＲ−ＳＡに進入する場合に限って行われる。移動局が、ゾーンを含むＶＬＲ−ＳＡを離れる場合、加入登録は中止される。
【００６１】
さらなる利点が、境界の取扱方法によって得られる。ゾーン、ＬＳＡまたはＶＬＲ−ＳＡタイプのエリアがＰＬＭＮの境界上にある場合、移動局はＰＬＭＮだけでなく、下位のタイプの地理的エリアにも同時に進入することがある。従って、境界の取扱方法では、移動局が上位タイプのエリアに進入する場合、第１の下位タイプのエリアの現在値が要求される。例えば、移動局がホームＰＬＭＮに進入する場合、現在のＶＬＲ−ＳＡについての要求が行われる。
【００６２】
また、どちらの方法も、ゾーン・サーバの起動時に有利である。この場合、初期化ルーチンは、ゾーンレコードがゾーン・データベース内に存在するすべてのＩＭＳＩについて、ＰＬＭＮ／ＶＬＲの変更のための初期ＨＬＲ登録加入と、現在のＰＬＭＮ／ＶＬＲについての要求とを行う。
【００６３】
ゾーン状態シーケンサは、修正されたゾーンレコードを中間ＦＩＦＯから読み取る。ゾーン状態シーケンサは、修正されたゾーンレコードの中の状態フィールドとＬＳＡフィールドとの内容を、比較器によって判断された地理的エリアフィールドおよび合致フィールドと共に、入力として用いる。状態フィールドの内容によって、現在の状態が判断され、３つの他のフィールドによって、次はどの状態に行くのかが判断される。状態シーケンサは、次の状態に入る前に、可能なルーチンを１つ以上実行する。これらのルーチンはメッセージを提供してもよく、それらのメッセージは、接続（１１１、１１２および１１３）を介して転送される。また、１つのＩＭＳＩについて複数のゾーンレコードが処理されることから、そのＩＭＳＩについて複数のメッセージが生成されてもよい。従って、状態シーケンサは、別のＩＭＳＩのためのメッセージが送信されることになるまで、同じＩＭＳＩへのメッセージを一時的に記憶する。メッセージは、正しい順序になるように整合され、例えば最初に不活性化メッセージが（ゾーンを離れるときのように）送信され、次いで活性化メッセージが（同じＬＳＡの中の別のゾーンに進入するのと同時に）送信される。
【００６４】
状態シーケンサは、ルーチンを実行した後、ＩＤによって指示されたゾーン・データベースの中のゾーンレコードに戻って、修正されたゾーンレコードの中に次の状態を書き込む（１０４）。図５に状態変化を図示する。図５の線の番号は、以下に述べる表１に対応しており、表１には、ある状態変化の際に実行されたルーチンが含まれている。
【００６５】
【表１−１】
2009514276.tif 000003
【００６６】
【表１−２】
2009514276.tif 000004
【００６７】
表１で述べたルーチンについて、以下でもっと詳しく記述する。
【００６８】
「動作なし」
「動作なし」とは基本的にルーチンではなく、状態テーブルの中で、動作をしないことを表示しているだけである。これは、次の状態をゾーンレコードに戻って書き込まないことも含む。
【００６９】
「現在のＶＬＲ−ＳＡを要求」
このルーチンは、特定のＩＭＳＩ（移動局）についての現在のＶＬＲ−ＳＡを要求するメッセージを、接続（１１１）を介してＨＬＲに書く。この要求は、移動局がホームＰＬＭＮへ進入する場合に行われる。このルーチンの目的は、移動局がホームＰＬＭＮに進入するだけではなく、ゾーンを含むＶＬＲ−ＳＡにも同時に進入する状況を取り扱うことである。ＶＬＲ−ＳＡの変更への加入登録は機能しないであろうが、なぜなら、これはホームＰＬＭＮに進入するとき同時に進入したＶＬＲ−ＳＡから出て行く動きだけを示すはずだからである。ＩＭＳＩは、修正されたゾーンレコードから検索される。
【００７０】
「現在のＬＳＡを要求」。
【００７１】
このルーチンは、特定のＩＭＳＩ(移動局）についての現在のＬＳＡを要求するメッセージを、接続（１１２）を介してＨＬＲ内の移動管理機能に書く。この要求は、移動局がその移動局について定義されたゾーンを含むＶＬＲ−ＳＡに進入する場合に行われる。このルーチンの目的は、移動局が、定義されたゾーンを含むＶＬＲ−ＳＡに進入するだけではなく、ゾーンを含むＬＳＡにも同時に進入する状況を取り扱うことである。ＬＳＡの変更への加入登録は機能しないであろうが、なぜなら、これは定義されたゾーンを含むＶＬＲ−ＳＡに進入するとき同時に進入したＬＳＡから出て行く動きだけを示すはずだからである。ＩＭＳＩは、修正されたゾーンレコードから検索される。
【００７２】
「ＬＳＡ変更への加入登録」
このルーチンは、ＩＭＳＩ(移動局）についてのＬＳＡの変更に加入登録するためのメッセージを、接続（１１２）を介してＨＬＲ内の移動管理機能へ送信する。ＩＭＳＩは、修正されたゾーンレコードから検索される。このメッセージは、移動局が、その移動局のために定義されたゾーンを含むＶＬＲ−ＳＡに進入する場合に限って生成される。このルーチンの目的は、移動局のＬＳＡ変更を知って、その移動局のために定義されたゾーンを含むＬＳＡに進入するのか退出するのかを判断することである。
【００７３】
「ＬＳＡ変更への加入登録解除」
このルーチンは、移動局が、その移動局のために定義されたゾーンを含むＶＬＲ−ＳＡから退出する場合に、ＬＳＡの変更への加入登録を中止するためのメッセージを、接続（１１２）を介してＨＬＲ内の移動管理機能へ送信する。メッセージは、加入登録が中止される必要がある移動局の仕様としてＩＭＳＩを含む。このルーチンの目的は、移動局が、その移動局のために定義されたゾーンを含むＶＬＲ−ＳＡにいないということであればＬＳＡ変更は必要ないため、ＨＬＲの負荷を削減することである。ＩＭＳＩは、修正されたゾーンレコードから検索される。
【００７４】
「移動局アプリケーションを起動」
このルーチンは、メッセージの双方向シーケンスを取り扱うものであり、その中で移動局アプリケーションの現在のバージョンがチェックされ、現在バージョンが存在しないかまたは移動局が存在するＰＬＭＮには適切でない場合、新バージョンがロードされ、いったん動作可能になったら移動局の状態がスタンバイモードに変更される。移動局がＰＬＭＮに進入するとメッセージシーケンスが開始される。すべてのメッセージは、インタフェース（１１３）を介して転送される。
【００７５】
「移動局アプリケーションを不活性化」
このメッセージは、移動局がＰＬＭＮを離れる場合に送信される。このメッセージは、インタフェース（１１３）を介して送信され、移動局アプリケーションを不活性状態にする。
【００７６】
「移動局アプリケーションをセル変更モードにする」
このルーチンは、移動局がアクセスを行うセルの変更もしくはアクセスポイントの変更に関する通知を開始するため、接続（１１３）を介してメッセージを送信する。このルーチンの目的は、移動局が、定義されたゾーンに属するセルの１つに進入するかまたは退出するかをチェックすることである。メッセージは、修正されたゾーンレコードの中に指定された移動局のＩＭＳＩを含む。
【００７７】
「移動局アプリケーションをセル警報モードにする」
このルーチンは、スタンバイモードからセル警報モードに切り替えるため、接続（１１３）を介してメッセージを送信する。セル警報モードは、現在のセルまたはアクセスポイントが、メッセージ内に含まれるストリングの中で識別されたものに合致するかどうか移動局にチェックさせる。また、メッセージは、修正されたゾーンレコードの中に指定された移動局のＩＭＳＩを含む。
【００７８】
「移動局アプリケーションをスタンバイモードにする」
このルーチンは、セル警報モードとセル変更モードとのいずれか一方を中止してスタンバイモードに切り替えるため、接続（１１３）を介してメッセージを送信する。このルーチンの目的は、セル変更通知は、移動局がその移動局のために定義されたゾーンを含むＬＳＡの中に存在する場合に限って必要であることから、無線ネットワークの負荷を低減することである。メッセージは、修正されたゾーンレコードの中に指定された移動局のＩＭＳＩを含む。
【００７９】
「ＭＳユーザに通知する」
このルーチンは、通知メッセージ（Ｍ７）を、接続（１１３）を介してゲートウェイ（２６）を通って移動局へ送信する。現在の状態がＬＳＡである場合、メッセージは、ゾーン名称と、修正されたゾーンレコードの中に指定された移動局のＩＭＳＩとを含む。移動局は、ユーザがそのゾーンの中にいるというユーザへの通知として、ゾーン名称を画面上に表示するであろう。現在の状態が「ゾーン」である場合、送信されたメッセージは、画面からゾーン名称を削除すべきという表示を含む。
【００８０】
「移動局プッシュネットワーク」
このルーチンは、メッセージ内で識別された別のネットワークに切り替えるため、接続（１１３）を介してメッセージを送信する。メッセージは、接続先ネットワークの名称と、修正されたゾーンレコードの中に指定された移動局のＩＭＳＩとを含む。
【００８１】
「状態３−４の変化を要求ハンドラへ」「ＬＳＡからゾーンへ、またゾーンからＬＳＡへの状態変化の信号を要求ハンドラへ」
このルーチンは、移動局が定義されたゾーンへ進入するかまたはそこから退出する場合に実行される。ゾーン状態シーケンサが、ＩＤと状態のペアをセクション２の要求ハンドラへ送信する。ＩＤは、ゾーンレコードの中のＩＤフィールドのコピーである。状態は、修正されたゾーンレコードの中に指定された現在の状態である。
【００８２】
「エラールーチン」
エラールーチンは、２つの基本的な状況について実行される。第１の状況は、移動局がまだ正確な階層的上位レイヤの地理的エリアにいない場合に階層的低位レイヤに関する地理的エリア変更メッセージを受信することである。この状況の一例として、移動局がホームＰＬＭＮにいない場合にＶＬＲ−ＳＡ変更メッセージを受信することが挙げられる。これらのメッセージは、加入登録されている場合に限って発生することから、何らかの理由で加入登録が適切に中止されない。従ってエラールーチンは、先述のように、適用可能な中止メッセージ（ＶＬＲ−ＳＡ、ＬＳＡ、もしくはセル変更）を再送信する。
【００８３】
第２の状況は、移動局はすでにそのエリアにいることを現在の状態が示しているのに、地理的エリア変更メッセージが受信される場合である。例えば、移動局がすでにあるＶＬＲ−ＳＡの中にいるのに、そのＶＬＲ−ＳＡへ進入するための変更メッセージを受信する場合。その理由はいくつかありうる。１つの可能性は、その地理的エリアを離れた間に移動局が切り替えられたかまたは一時的に到達範囲外となり、次にそのエリアに再び進入することである。別の可能性として、管理機能が、現在地理的エリア入手メッセージを、地理的エリア変更への加入登録より後に受信する場合が考えられる。第２の状況では、エラールーチンはさらなる動作を行わない。
【００８４】
任意で、後で分析する目的でゾーン・データベースに対してエラーロギングが行われてもよい。
【００８５】
セクション２は、要求ハンドラ（３４）と入力ＦＩＦＯ（３５）とを含む。接続（１０６）を介してサービスおよび設備から着信する要求は、入力ＦＩＦＯ（３５）の中に中間記憶される。要求ハンドラは、入力ＦＩＦＯから着信する要求を読み取り、それらを一つずつ処理する。応答はいずれも、接続（１０５）を介して要求側のサービスまたは設備に返信される。要求ハンドラは、加入登録テーブルに加入レコードを読み取り書き込みするため、およびゾーン・テーブルからゾーンレコードを読み取るため、ゾーン・データベースに接続（１０２）する。また、要求ハンドラは、「ＬＳＡ」から「ゾーン」へ、または「ゾーン」から「ＬＳＡ」へ状態変化が起こった場合、状態シーケンサ（３３）からゾーンレコードＩＤと状態のペアを受信する（１１４）。要求ハンドラは、要求を取り扱うための単独プロセスを実行し、それはＩＤ／状態ペアを受信すると中断される。
【００８６】
要求は、ＩＭＳＩと、ゾーンと、加入登録と、着信先というフィールドを含む標準フォーマットを有する。ＩＭＳＩと、ゾーンと、加入登録とのフィールドは、空欄のままでもよい。加入登録フィールドには、「開始」もしくは「中止」という値が入ってもよい。加入登録フィールドは、ゾーン名称を有する。着信先フィールドは、応答の送信先である着信先を含む。要求のタイプは、表２に示すように空欄のままにされるフィールドによって決まる。
【００８７】
【表２】
2009514276.tif 000005
【００８８】
要求を取り扱うプロセスを図６に示す。要求側のサービスまたは設備からの次の要求を入力ＦＩＦＯから取ってきた後、要求ハンドラは、要求の中のＩＭＳＩフィールドとゾーンフィールドが両方とも空欄かどうかという第１のチェック（Ｄ１）を行う。
【００８９】
そうである場合、要求ハンドラは、要求の中の加入登録フィールドが「中止」を含むかどうかという第２のチェック（Ｄ５）を続ける。そうでない場合、要求ハンドラは、動作（Ａ１１）を続け、要求が有効でなかったというエラーメッセージを要求側のサービスまたは設備に返信する。この動作の後、要求の取扱は完了し、入力ＦＩＦＯからの次の要求のためのプロセスが開始される。
【００９０】
第２のチェック（Ｄ２）の結果が「イエス」であった場合、要求ハンドラは、加入登録テーブル内でＩＭＳＩとゾーンと着信先とが合致するすべての加入登録レコードが削除される動作（Ａ９）を実行する。ＩＭＳＩおよびゾーンフィールドはどちらも事実上空欄であることから、これは、すべての合致する着信先フィールドによって、加入レコードの削除がもたらされることを意味する。その後、取扱は完了し、入力ＦＩＦＯからの次の要求のためのプロセスが開始される。
【００９１】
第１のチェックの結果が「ノー」であった場合、要求の中の加入登録フィールドが「中止」を含むかどうか再度チェックが行われる。そうである場合、要求ハンドラは、ＩＭＳＩとゾーンと着信先とが合致するすべての加入レコードを要求ハンドラが削除する動作（Ａ９）を続ける。ＩＭＳＩとゾーンとのいずれか一方が空欄である場合、他のフィールドが合致する加入レコードはいずれも削除される。動作（Ａ９）の後、取扱は完了し、入力ＦＩＦＯからの次の要求のためのプロセスが開始される。
【００９２】
チェック（Ｄ１）および（Ｄ２）がどちらも「ノー」であった場合、要求の中の加入登録フィールドが空欄のままかどうかチェックするチェック（Ｄ３）が行われる。そうである場合、要求の中のフィールドのＩＭＳＩとゾーンとの値に合致するすべてのゾーンレコードをゾーン・テーブルから読み取る動作（Ａ８）が実行される。動作（Ａ１０）において、受信されたレコードの各々について応答が準備され、要求側のサービスまたは設備へ送信される。応答はそれぞれ、ＩＭＳＩと、ゾーンレコードの中に述べられたゾーンとを有し、加えて、状態フィールドが「ゾーン」という値を有する場合には内側の値を有し、それが何らかの他の値を有する場合には外側の値を有するような指標も有する。応答は、要求の中に述べられた着信先へ送信される。取扱が完了した後、入力ＦＩＦＯからの次の要求のためのプロセスが開始される。
【００９３】
チェック（Ｄ１）、（Ｄ２）、（Ｄ３）がすべて「ノー」であった場合、要求のなかの加入登録フィールドが「開始」を含むかどうかをチェックするチェック（Ｄ４）が行われる。また、ノーであった場合には、要求が有効でなかったというエラーメッセージが要求側のサービスまたは設備へ返信される動作（Ａ１１）が実行される。この動作の後、要求の取扱は完了し、入力ＦＩＦＯからの次の要求のためのプロセスが開始される。
【００９４】
チェック（Ｄ４）の結果が「イエス」であった場合、前述の動作（Ａ８）に相当する動作（Ａ６）が実行される。次いで、動作（Ａ７）が実行され、その中で、受信したゾーンレコードの各々について加入登録レコードが作成される。ＩＤとＩＭＳＩとゾーンフィールドの値とがゾーンレコードから加入登録レコードへコピーされる。着信先フィールドの値は、要求からコピーされる。加入登録テーブルは、複数のエントリが同じＩＤ、ＩＭＳＩ、ゾーン、着信先の値を取ることを認めない。その場合、加入登録レコードは上書きされる。動作（Ａ７）の後、前述のように動作（Ａ１０）が実行される。これは、要求側のサービスおよび設備に特定のゾーンにおける移動局の存在の初期値を直接提供する。各ゾーンレコードについてメッセージを送信した後、要求の取扱は完了し、入力ＦＩＦＯからの次の要求のためのプロセスが開始される。
【００９５】
ＩＤ／状態ペアが接続（１１４）を介してゾーン状態シーケンサから受信された場合、要求取扱プロセスは中断される。「ゾーン」から「ＬＳＡ」への、または「ＬＳＡ」から「ゾーン」への状態変化が発生した場合、ゾーンシーケンサはＩＤ／状態ペアを送信する。ＩＤ／状態ペアの中の状態とは、現在の状態のことである。
【００９６】
ＩＤ／状態ペアが受信されると、要求ハンドラは、その要求取扱プロセスを中断して、加入登録ルーチンを開始する。ＩＤ／状態ペアの中のＩＤが、各加入登録レコードのＩＤフィールドと比較される。どこで合致が発見された場合でも、要求ハンドラは、ＩＭＳＩと、ゾーンと、「入口」もしくは「出口」とを含むメッセージを準備する。ＩＭＳＩとゾーンとが、加入登録レコードからコピーされる。入口または出口が、ＩＤ／状態ペアの中の状態に関して判断される。状態が「ゾーン」であればそれは「出口」であり、状態が「ＬＳＡ」であれば「入口」である。メッセージは、加入登録レコードの着信先フィールドの場合と同様、着信先へ送信される。すべての加入登録レコードがチェックされると、加入登録ルーチンは終了し、要求取扱プロセスは続行される。
【００９７】
当業者であれば、存在および存在の変更が上位の地理的エリアへ拡張されるようなセクション２の他の実施形態も可能であることが理解できよう。
【００９８】
セクション３は、ゾーン・データベースに接続し（１０３）、通信システムの転送ネットワークを介して１つ以上のメンテナンス端末に接続（１０７）する、メンテナンスハンドラ（３６）を備える。ゾーンを維持したいオペレータは、まず、メンテナンスハンドラへの接続を要求する。メンテナンスハンドラは、ユーザＩＤとパスワードとが要求されるログイン手順を開始する。オペレータから受信すると、メンテナンスハンドラは、認証レコードを含むテーブルから、ゾーン・データベースからのユーザＩＤによって識別されるレコードを検索する。メンテナンスハンドラは、提供されたパスワードを認証レコードの中に記憶されたパスワードでチェックする。また任意で、メンテナンスハンドラは、端末ＩＤおよび／または端末の着信先アドレスをチェックする。すべてが適合すれば、アクセスが承認される。
【００９９】
次いでオペレータは、パスワードの変更またはゾーン定義の編集を選択できる。
【０１００】
ゾーン定義の編集を要求する場合、ユーザとしてオペレータは、メンテナンスハンドラがゾーン・データベース内でゾーン・テーブルからＩＭＳＩが合致するすべてのレコードを読み取る、そのＩＭＳＩへ進入するよう促される。このリストは、削除するかまたは編集する目的でリストから１つのゾーン定義を選択できるか、または何も選択せずに新規のゾーン定義を作成できるユーザに対して提供される。メンテナンスハンドラは、ゾーン・テーブル内のユーザのエントリを検証し、必要な更新を行う。ユーザがゾーン定義を削除する場合、メンテナンスハンドラは、加入登録テーブルもチェックする。そのゾーン定義について加入登録が行われた場合、その加入登録も削除される。ユーザが新規ゾーン定義に進入する場合、メンテナンスハンドラは、そのＩＭＳＩについて何か他の定義があるかどうかチェックする。ない場合には、メンテナンスハンドラは、ＰＬＭＮ／ＶＬＲの変更が発生した場合の変更メッセージのためにＨＬＲに対して初期加入登録を行う。またメンテナンスハンドラは、移動局が存在する現在のＰＬＭＮ／ＶＬＲを送信するようＨＬＲに要求する。
【０１０１】
ＩＭＳＩの特定の集合だけを維持することを許可されたユーザが複数いる場合、ＩＭＳＩについての任意のチェックが含まれてもよい。従って、ユーザＩＤとＩＭＳＩとのペアを持つレコードを備えた追加のテーブルが、ゾーン・データベース内に含まれる。ユーザがＩＭＳＩに進入する場合、ユーザＩＤとＩＭＳＩとのペアを持つレコードが追加のテーブルの中に存在することを検証することによって、第１の任意チェックが行われる。これは、オペレータ１社の１個のゾーン・サーバを多様なプロバイダが利用する場合に、特に有利である。
【０１０２】
もう１つのオプションは、シャドーゾーンを自動的に生成することである。オーバラップしているアクセスポイントおよびセルのリストに基づいて、ゾーンレコードの作成と共に、シャドーゾーンレコードが自動的に作成される。
【０１０３】
「移動局アプリケーション」
ゾーン・サーバは、移動局の中のゾーン・アプリケーションと通信する。この通信は、移動局が存在するＰＬＭＮ（２３ａ乃至ｃ）へのゲートウェイ（２６）およびアクセスポイント（２７）を介して行われる。通信は、ＰＬＭＮのタイプに利用可能な、ＵＳＳＤ、ＳＭＳ−０、ＯＴＡ、あるいはＳＩＰのような、最先端のデータ転送メカニズムを用いる。またゾーン・アプリケーション自体も、同じデータ転送メカニズムを用いて転送される。従って、移動端末のユーザは、ゾーン・アプリケーションをロードしたりインストールしたりする必要はなく、ゾーン・サーバが全自動的にこれを行う。これには、ゾーン・サーバがゾーン・アプリケーションのバージョンを管理して、ゾーン・サーバが必要に応じてゾーン・アプリケーションを更新できるというさらなる利点がある。
【０１０４】
ゾーン・サーバは、ＰＬＭＮの通信範囲の内側でオンに切り替えられるかまたはそこへ進入する場合、そのＩＭＳＩによってゾーン・サーバ内で知られている各端末の中でゾーン・アプリケーションを起動する。ＰＬＭＮを離れる場合、ゾーン・サーバはゾーン・アプリケーションを再度不活性化する。また、この手順は、ゾーン・サーバが複数のＰＬＭＮをカバーする場合、および、シャドーゾーンを持つ在圏ＰＬＭＮについても適用される。多様なＰＬＭＮについて多用なアプリケーションのバージョンが可能になることから、これは、特別な利点を持つ。
【０１０５】
図９は、多様な状態にあるゾーン・アプリケーションと、それがこれらの状態において受け入れて生成するメッセージとについて記述する。ゾーン・アプリケーションが移動端末の中に存在するけれども活性化していない場合、それは不活性化状態（Ｉ）にある。ゾーン・サーバによってカバーされるＰＬＭＮの内側の移動端末をオンに切り替える場合、バージョンチェックメッセージ（Ｍ１）が移動端末へ送信される。移動端末は、移動端末の中に存在するゾーン・アプリケーションのバージョンを記述するバージョンメッセージ（Ｍ２）を使って応答する。移動端末が存在するＰＬＭＮについてのバージョンが正しい場合、ゾーン・サーバは、活性化メッセージ（Ｍ５）を送信する。受信すると、ゾーン・アプリケーションは、不活性化状態からスタンバイ状態（Ｓ）へ変わる（Ｌ１０１）。移動端末内にゾーン・アプリケーションが存在しないかまたは正しいバージョンでない場合、ゾーン・サーバは、ゾーン・アプリケーションの正しいバージョンを含むパッケージ・メッセージ（Ｍ３）を送信する。パッケージは、自己インストールし、インストールが完了すると準備完了メッセージ（Ｍ４）を生成する。準備完了メッセージを受信すると、ゾーン・サーバは、活性化メッセージを送信する。あるバージョンをインストールすることは、ゾーン・アプリケーションの他のバージョンを削除することを含む。
【０１０６】
活性化されたゾーン・アプリケーションには、３つの異なる動作モードがある。スタンバイ状態（Ｓ）、セル更新状態（Ｕ）、そしてセル警報状態（Ａ）である。ゾーン・サーバは、特定のメッセージをゾーン・アプリケーションへ送信することによって、状態変化を命令する。ゾーン・アプリケーションがスタンバイ状態にあり、セル更新メッセージ（Ｍ６）が受信される場合、ゾーン・アプリケーションは、セル更新状態（Ｕ）に変わる（Ｌ１０３）。スタンバイモードメッセージ（Ｍ８）に変わると、ゾーン・アプリケーションは、スタンバイ状態に復帰する（Ｌ１０４）。セル更新状態において、ゾーン・アプリケーションは、ゾーン・アプリケーションが別のセルに進入するかまたはアクセスポイントから変わる度に、セル変更メッセージ（Ｍ９）を送信する。メッセージは、現在接続しているアクセスポイントまたは進入したセルのＩＤを含む。ゾーン・サーバは、ゾーン・アプリケーションが、移動端末の画面上のオペレータ／ネットワークテキストを変更することになるセル更新状態にある場合、通知メッセージ（Ｍ７）を送信できる。移動端末があるゾーン内にいるかまたは接続しているため、特定の設備が現在利用可能であることをユーザに知らせるということを、ゾーン・サーバは、移動端末のユーザにそのように表示することができる。ユーザがあるゾーンを離れたことをユーザに知らせるため、同じメッセージが使われてもよい。
【０１０７】
移動端末が、ホームＰＬＭＮ内のゾーンのシャドーゾーンを有するような在圏ＰＬＭＮに進入した後で、スタンバイ状態にある場合、ゾーン・サーバは、セル警報モードへの変更メッセージ（Ｍ１０）を送信できる。ゾーン・アプリケーションは、セル警報状態（Ａ）に変わる（Ｌ１０５）。セル警報モードへの変更メッセージは、在圏ＰＬＭＮ内のアクセスポイントまたはセルの一連のＩＤを含む。セル警報状態において、ゾーン・アプリケーションは、移動端末が接続しているアクセスポイントのＩＤまたは移動端末が存在するセルのＩＤが、一連のアクセスポイントまたはセルのＩＤの中で述べられたものと合致する場合、セル合致メッセージ（Ｍ１２）を生成するであろう。セル合致メッセージは、合致するセルまたはアクセスポイントのＩＤを含む。
【０１０８】
受信したセル合致メッセージに基づいて、ゾーン・サーバはプッシュネットワーク・メッセージ（Ｍ１１）を送信してもよい。ゾーン・アプリケーションは、移動端末が表示された正しいネットワークへと接続を変更するように処理するであろう。正しいネットワークへの接続が確立される場合、ゾーン・アプリケーションは、自動的にスタンバイ状態に復帰する（Ｌ１０６）。
【０１０９】
移動端末があるＰＬＭＮを離れる場合、ゾーン・サーバは、ゾーン・アプリケーションの不活性化（Ｌ１０２）をもたらす不活性化メッセージ（Ｍ１４）を送信してゾーン・アプリケーションを不活性化する。
【０１１０】
図７は、移動端末が定義されたゾーンを含むＰＬＭＮの中でオンに切り替えられるかまたはそこへ進入し、このゾーンを通過し、その後またＰＬＭＮを離れる場合のゾーン・サーバとゾーン・アプリケーションの間の対話について説明する。
【０１１１】
ゾーンを含むＰＬＭＮの中でオフに切り替えられたかまたはその中に存在しない場合、ゾーンレコードの状態フィールドは「外」である。ゾーン・アプリケーションは不活性化しているかまたは移動端末の中にはまだ存在していない。移動端末がオンに切り替わるかまたはＰＬＭＮに進入する場合、それはＰＬＭＮ内の管理機能によってゾーン・サーバに通知されるが、ゾーン・サーバは、バージョン・チェック・メッセージ（Ｍ１）を送信して、ゾーンレコードの状態フィールドをＰＬＭＮに変更する。受信したバージョンメッセージ（Ｍ２）に基づいて、ゾーン・サーバは、活性化メッセージ（Ｍ５）を直接送信するかまたは最初にパッケージメッセージ（Ｍ３）を送信してゾーン・アプリケーションから準備完了メッセージ（Ｍ４）を受信するのを待つかどちらか一方である。活性化メッセージを受信した後、ゾーン・アプリケーションは、スタンバイ状態に切り替わる。
【０１１２】
ゾーン・アプリケーションは、移動端末が移動してゾーンを含むロケーション・サポート・エリア（ＬＳＡ）に入るまで、スタンバイ状態を維持する。ゾーン・サーバは、ＰＬＭＮ管理機能の中の移動機能から通知を受ける。ゾーン・サーバは、セル更新モードメッセージ（Ｍ６）への変更をゾーン・アプリケーションへ送信し、ゾーンの状態をＬＳＡに設定する。ゾーン・アプリケーションは、セル更新状態に変わる。次にゾーン・アプリケーションは、セル変更メッセージ（Ｍ９）をゾーン・サーバへ送信し始める。セル変更メッセージの中のＩＤが、ゾーンのセルのうちの１つと合致した場合、ゾーン・サーバは、ゾーン状態フィールドを「ゾーン」に設定し、通知メッセージ（Ｍ７）をゾーン・アプリケーションへ送信してゾーン内の存在についてユーザに通知する。その間に、ゾーン・アプリケーションは、セル変更メッセージを送信し続ける。それらがすべてゾーン定義と合致する限り、ゾーン状態は「ゾーン」のままである。
【０１１３】
第１のセル変更メッセージが、ゾーン定義と合致しないゾーン・サーバによって受信される場合、ゾーン・サーバは、ユーザがゾーンを離れたとユーザに通知する通知メッセージを再送信する。ゾーン状態は再度ＬＳＡに変わる。ゾーン・アプリケーションは、ＰＬＭＮ間利機能の中の移動機能から、移動端末がＬＳＡを離れたという通知をゾーン・サーバが受信するまで、セル更新メッセージを送信し続ける。ゾーン・サーバは、スタンバイモードへの変更メッセージ（Ｍ８）をゾーン・アプリケーションへ送信し、ゾーン状態をＶＬＲに設定する。メッセージを受信すると、ゾーン・アプリケーションは、スタンバイ状態へと変わり、スタンバイメッセージ（Ｍ１３）を使ってこれをゾーン・サーバへ通知する。端末が移動して最後にＰＬＭＮの通信範囲から出る場合、これは、そのＰＬＭＮの管理機能によってゾーン・サーバに通知される。ゾーン・サーバは、不活性化メッセージ（Ｍ１４）をゾーン・アプリケーションへ送信することによって、動作し、ゾーン・アプリケーションは、さらなる通知がなくても不活性状態に変わる。
【０１１４】
図８は、移動端末が、シャドーゾーンを含む在圏ＰＬＭＮに進入し、シャドーゾーンへと移動する、これまでとは違う事例について説明する。
【０１１５】
在圏ＰＬＭＮに進入する場合、基本的な動作はこれまでの事例について説明したのと同じである。バージョンがチェックされ、必要に応じて適合され、ゾーン・サーバは、ゾーン・アプリケーションに、活性化してスタンバイ状態になるように命令する。ゾーン・アプリケーションは、スタンバイメッセージ（Ｍ１３）を用いて、応答する。
【０１１６】
ゾーン・アプリケーションは、端末が、シャドーゾーンを含むＶＬＲに入るまで、スタンバイ状態であり続ける。ゾーン・サーバは、移動端末のホームＰＬＭＮの中の管理機能によって、それを通知される。次にゾーン・サーバは、セル警報モードへの変更メッセージを、シャドーゾーンを構成するアクセスポイントのＩＤおよびセルのＩＤを使って送信する。シャドーゾーンレコードの状態は、ＶＬＲになる。
【０１１７】
ゾーン・アプリケーションは、セル警報状態に変わる。この状態において、ゾーン・アプリケーションは、合致が存在するかどうか連続的にチェックする。そうであるならば、セル警報メッセージ（Ｍ１２）が、ゾーン・サーバへ送信される。ゾーン・サーバは、プッシュネットワーク・メッセージ（Ｍ１１）を、実際のゾーンを含むネットワークのＩＤを含むゾーン・アプリケーションへ送信する。ゾーン・アプリケーションは、他のネットワークへの変更を処理する。切り替えられた場合、ゾーン・アプリケーションはスタンバイメッセージ（Ｍ１３）をゾーン・サーバへ送信して、その状態をスタンバイへ切り替える。他のネットワークに接続することによって、移動端末は、事実として、実際のゾーンを含むＰＬＭＮに入る。このゾーンについての取扱は、前述の事例のように行われる。
【０１１８】
また、別のＰＬＭＮへの変更の結果は、ゾーン・サーバが、これを通知されて不活性化メッセージ（Ｍ１４）をゾーン・アプリケーションへ送信し、ゾーン・アプリケーションはそのように不活性化状態に切り替わる、ということになる。シャドーゾーンレコードの状態は、「外」になる。
【０１１９】
本発明について記述された実施形態は、本発明を実装する可能性のある方法であり、当業者にその教示内容が理解できるようにするものである。
【図面の簡単な説明】
【０１２０】
【図１】ＰＬＭＮの地理的エリアの関係の概略図である。
【図２】本発明を有する通信システムの概略図である。
【図３】ゾーン・サーバの概略図である。
【図４】ゾーン・データベースの中に記憶されたデータの概略図である。
【図５】ゾーン状態シーケンサの状態図である。
【図６】ゾーン・サーバ内の要求取扱プロセスのフロー図である。
【図７】ホームＰＬＭＮ内のゾーンについてのゾーン・サーバと移動局間のメッセージの概略フローを示す図である。
【図８】在圏ＰＬＭＮ内のシャドーゾーンについてのゾーン・サーバと移動局間のメッセージの概略フローを示す図である。
【図９】移動局内のゾーン・アプリケーションの状態図である。
【図１】
2009514276.tif 000006
【図２】
2009514276.tif 000007
【図３】
2009514276.tif 000008
【図４】
2009514276.tif 000009
【図５】
2009514276.tif 000010
【図６】
2009514276.tif 000011
【図７】
2009514276.tif 000012
【図８】
2009514276.tif 000013
【図９】
2009514276.tif 000014
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
移動通信システムによって少なくとも１つの専用サービスを移動局に提供する方法であって、前記移動通信システムは少なくともひとつの移動通信ネットワークを含み、前記少なくともひとつの移動通信ネットワークの各々は、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリアに備わっており、また或る下位地理的サービスエリアに備わっており、
ａ）前記移動局が上位地理的サービスエリアからサービスを受けているか監視する工程と、
ｂ）前記移動局が前記上位地理的サービスエリアからサービスを受けていることが検出されたとき、前記上位地理的サービスエリア内の専用サービスエリアの存在を判定する工程と、
ｃ）現在の上位地理的サービスエリア内の専用サービスエリアの存在が確定されたとき、前記専用サービスの前記移動局が下位地理的サービスエリアからサービスを受けているか監視する工程と、
ｄ）前記移動局が前記下位地理的サービスエリアからサービスを受けていることが検出されたとき、前記下位地理的サービスエリア内の専用サービスエリアの存在を判定する工程と、
ｅ）前記下位地理的サービスエリア内の専用サービスエリアの存在が確定されたとき、前記移動局による位置情報の提供を開始させる工程と、
ｆ）前記移動局による位置情報の提供が開始されたとき、前記移動局により前記位置情報を提供する工程と、
ｇ）前記移動局により提供される位置情報に基づいて専用サービスエリア内の前記移動局の存在を監視する工程と、
ｈ）前記専用サービスエリア内の前記移動局の存在が確定されたとき、前記少なくともひとつの専用サービスを前記移動局に提供する工程と
を有する方法。
【請求項２】
ｉ）前記移動局が前記上位地理的サービスエリアからサービスを受けているとき、前記移動局がサービスを受ける下位地理的サービスエリアを判定する工程を更に有する請求項１に記載の方法。
【請求項３】
ｊ）前記移動局が上位地理的サービスエリアからサービスを受けているとき、上位地理的サービスエリア内における専用サービスエリアの不存在を確定する工程と、
ｋ）前記移動局による位置情報の提供を中止させる工程と
を更に有する請求項２に記載の方法。
【請求項４】
ｌ）専用サービスエリア内における前記移動局の存在が確定されたとき、前記移動局により提供された位置情報に基づいて、重複する別の上位地理的サービスエリア内における別の専用サービスエリア内の前記移動局の存在を確定する工程と、
ｍ）前記移動局に前記別の上位地理的サービスエリアのＩＤを伝達する工程と、
ｎ）前記移動局によりサービスを前記別の上位地理的サービスエリアに変更する工程と
ｏ）別の専用サービスを前記移動局に提供する工程と
を更に有する請求項１又は２に記載の方法。
【請求項５】
前記移動局により提供された位置情報に基づいて専用サービスエリア内の前記移動局の存在を確定する前記工程は、前記移動局からの前記位置情報を、以前に格納した専用サービスエリアに関連する位置情報と比較する工程を含む請求項１乃至４のいずれか１項に記載の方法。
【請求項６】
前記移動局がサービスを受ける複数のセルおよび前記専用サービスエリアを含む前記少なくともひとつの通信ネットワークは、少なくともひとつのセルを含む請求項１乃至４のいずれか１項に記載の方法。
【請求項７】
前記移動局による位置情報の提供を開始させた後で位置情報を提供する前記工程は、前記移動局がサービスを受けるセルのＩＤを提供する工程に関連する請求項６に記載の方法。
【請求項８】
前記移動局による位置情報の提供を開始させた後で位置情報を提供する前記工程は、前記移動局が別のセルに変わるときに、前記移動局がサービスを受けるセルのＩＤを提供する工程を更に有する請求項７に記載の方法。
【請求項９】
専用サービスエリア内の前記移動局の存在をユーザに対して表示する工程を含む請求項１乃至４のいずれか１項に記載の方法。
【請求項１０】
専用サービスエリア内の前記移動局の存在をユーザに対して表示する前記工程は、
通信ネットワークの名前を表示する工程であって、前記専用サービスエリアが前記移動局のディスプレイ上にある工程と、
前記移動局のディスプレイ上に専用アイコンを表示する工程と、
前記移動局により専用音声警告を提供する工程と
のうち少なくともひとつを含む請求項９に記載の方法。
【請求項１１】
前記複数の上位サービスエリアは、少なくともひとつの移動局のホーム公衆陸上移動通信網を含む少なくともひとつの公衆陸上移動通信網と、少なくともひとつの在圏ロケーションレジスタ・サービスエリアとを含み、
前記移動局が新たな上位地理的サービスエリアからサービスを受けているか監視する前記工程は、
ａ１）前記移動局の少なくともひとつのホーム公衆陸上移動通信網のホーム・ロケーション・レジスタの管理機能に、公衆陸上移動通信網または在圏ロケーションレジスタ・サービスエリアからサービスを受けている前記移動局で変化の通知を受信することを登録する工程と、
ａ２）前記移動局のホーム公衆陸上移動通信網の前記管理機能から、前記移動局にサービスを提供している前記公衆陸上移動通信網または在圏ロケーション・レジスタ・サービスエリアを表示している変化の通知を受信する工程と
を含む請求項１乃至４のいずれか１項に記載の方法。
【請求項１２】
下位地理的サービスエリアは、ロケーション・サービス・エリアを含んでもよく、前記移動局が、下位地理的サービスエリアからサービスを受けているか監視する前記工程は、
ｃ１）前記移動局の前記ホーム公衆陸上移動通信網のホーム・ロケーション・レジスタの移動機能に、ロケーション・サービス・エリアからサービスを受けている前記移動局で変化の通知を受信することを登録する工程と、
ｃ２）前記ホーム公衆陸上移動通信網の移動機能から、前記移動局にサービスを提供するロケーション・サービス・エリアを表示している変化の通知を受信する工程と
を含む請求項１１に記載の方法。
【請求項１３】
ｐ）上位地理的サービスエリアからサービスを受ける移動局を検出したときに、前記移動局内における、位置情報を提供するためのコンピュータで実行可能な命令を含む最新のコンピュータアプリケーションプログラムの存在を検証する工程と、
ｑ）前記移動局内において、位置情報を提供するための最新のコンピュータアプリケーションプログラムの不存在が検出されたとき、位置情報を提供するための前記最新のコンピュータアプリケーションプログラムを前記移動局にダウンロードし、前記最新のコンピュータアプリケーションプログラムを前記移動局にインストールする工程と
を更に有する請求項１乃至４のいずれか１項に記載の方法。
【請求項１４】
専用サービスを移動局に提供する移動通信システムであって、
各々が、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリアに備わっており、また或る下位地理的サービスエリアに備わっている、少なくともひとつの移動通信ネットワークと、
位置情報を格納する手段と、
専用サービスエリア及び前記移動局のＩＤに関連する位置情報を格納する前記手段に動作可能に接続され、また、前記少なくともひとつの通信ネットワークを介して前記移動局に動作可能に接続され、また、少なくとも一つの移動通信ネットワークの少なくとも一つの管理機能に動作可能に接続されており、請求項１乃至１３のいずれか１項に記載の方法の工程を実行するよう構成された処理手段と
を備えた移動通信システム。
【請求項１５】
位置情報を格納する前記手段は、移動局のＩＤにリンクされたサービスエリア情報を有するデータベースを備える請求項１４記載のシステム。
【請求項１６】
移動局に対して専用サービスを提供する処理手段であって、
前記処理手段は、専用サービスエリア及び前記移動局のＩＤに関連する位置情報を格納する手段に動作可能に接続され、また、少なくともひとつの通信ネットワークを介して前記移動局に動作可能に接続されており、それによって前記少なくとも一つの移動通信ネットワークは、前記処理手段を、前記少なくともひとつの移動通信ネットワークの管理機能に接続しており、
前記少なくともひとつの移動通信ネットワークの各々は、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリアに備わっており、また或る下位地理的サービスエリアに備わっており、
請求項１乃至１３のいずれか１項に記載の方法の工程を実行するよう構成された処理手段。
【請求項１７】
専用サービスエリア内ににおいて専用サービスを受けるのに適しており、少なくとも一つの移動通信ネットワークを介して処理手段に動作可能に接続されている移動局であって、
前記少なくとも一つの移動通信ネットワークの各々は、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリアに備わっており、また或る下位地理的サービスエリアに備わっており、
前記処理手段により始動された後に、前記通信ネットワークを介して前記処理手段に対して位置情報を提供するよう構成されている移動局。
【請求項１８】
前記移動局が上位地理的サービスエリアからサービスを受けていることを前記処理手段により検出したとき、前記処理手段によりスタンバイモードで稼働可能な請求項１７に記載の移動局。
【請求項１９】
前記移動局内において、位置情報を提供するための最新のコンピュータアプリケーションプログラムの不存在が前記処理手段によって検出されたとき、コンピュータで実行可能な命令を含んだ、位置情報を提供するための前記最新のコンピュータアプリケーションプログラムをダウンロードしてインストールするよう更に構成された請求項１８に記載の移動局。
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
移動通信システムによって少なくとも１つの専用サービスを移動局に提供する方法であって、前記移動通信システムは少なくともひとつの移動通信ネットワークを含み、前記少なくともひとつの移動通信ネットワークの各々は、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリア及び或る下位地理的サービスエリア内に存在しており、
ａ）前記移動局が上位地理的サービスエリアからサービスを受けているか監視する工程と、
ｂ）前記移動局が前記上位地理的サービスエリアからサービスを受けていることが検出されたとき、前記上位地理的サービスエリア内の専用サービスエリアの存在を判定する工程と、
ｃ）現在の上位地理的サービスエリア内の専用サービスエリアの存在が確定されたとき、前記移動局が下位地理的サービスエリアからサービスを受けているか監視する工程と、
ｄ）前記移動局が前記下位地理的サービスエリアからサービスを受けていることが検出されたとき、前記下位地理的サービスエリア内の専用サービスエリアの存在を判定する工程と、
ｅ）前記下位地理的サービスエリア内の専用サービスエリアの存在が確定されたとき、前記移動局による位置情報の提供を開始させる工程と、
ｆ）前記移動局による位置情報の提供が開始されたとき、前記移動局により前記位置情報を提供する工程と、
ｇ）前記移動局により提供される位置情報に基づいて専用サービスエリア内の前記移動局の存在を監視する工程と、
ｈ）前記専用サービスエリア内の前記移動局の存在が確定されたとき、前記少なくともひとつの専用サービスを前記移動局に提供する工程と
を有する方法。
【請求項２】
ｉ）前記移動局が前記上位地理的サービスエリアからサービスを受けているとき、前記移動局がサービスを受ける下位地理的サービスエリアを判定する工程を更に有する請求項１に記載の方法。
【請求項３】
ｊ）前記移動局が上位地理的サービスエリアからサービスを受けているとき、上位地理的サービスエリア内における専用サービスエリアの不存在を確定する工程と、
ｋ）前記移動局による位置情報の提供を中止させる工程と
を更に有する請求項２に記載の方法。
【請求項４】
ｌ）専用サービスエリア内における前記移動局の存在が確定されたとき、前記移動局により提供された位置情報に基づいて、重複する別の上位地理的サービスエリア内における別の専用サービスエリア内の前記移動局の存在を確定する工程と、
ｍ）前記移動局に前記別の上位地理的サービスエリアのＩＤを伝達する工程と、
ｎ）前記移動局によりサービスを前記別の上位地理的サービスエリアに変更する工程と
ｏ）別の専用サービスを前記移動局に提供する工程と
を更に有する請求項１又は２に記載の方法。
【請求項５】
前記移動局により提供された位置情報に基づいて専用サービスエリア内の前記移動局の存在を確定する前記工程は、前記移動局からの前記位置情報を、以前に格納した専用サービスエリアに関連する位置情報と比較する工程を含む請求項１乃至４のいずれか１項に記載の方法。
【請求項６】
前記移動局がサービスを受ける複数のセルおよび前記専用サービスエリアを含む前記少なくともひとつの通信ネットワークは、少なくともひとつのセルを含む請求項１乃至４のいずれか１項に記載の方法。
【請求項７】
前記移動局による位置情報の提供を開始させた後で位置情報を提供する前記工程は、前記移動局がサービスを受けるセルのＩＤを提供する工程に関連する請求項６に記載の方法。
【請求項８】
前記移動局による位置情報の提供を開始させた後で位置情報を提供する前記工程は、前記移動局が別のセルに変わるときに、前記移動局がサービスを受けるセルのＩＤを提供する工程を更に有する請求項７に記載の方法。
【請求項９】
専用サービスエリア内の前記移動局の存在をユーザに対して表示する工程を含む請求項１乃至４のいずれか１項に記載の方法。
【請求項１０】
専用サービスエリア内の前記移動局の存在をユーザに対して表示する前記工程は、
通信ネットワークの名前を表示する工程であって、前記専用サービスエリアが前記移動局のディスプレイ上にあるところの工程と、
前記移動局のディスプレイ上に専用アイコンを表示する工程と、
前記移動局により専用音声警告を提供する工程と
のうち少なくともひとつを含む請求項９に記載の方法。
【請求項１１】
前記複数の上位サービスエリアは、少なくともひとつの移動局のホーム公衆陸上移動通信網を含む少なくともひとつの公衆陸上移動通信網と、少なくともひとつの在圏ロケーションレジスタ・サービスエリアとを含み、
前記移動局が新たな上位地理的サービスエリアからサービスを受けているか監視する前記工程は、
ａ１）前記移動局の少なくともひとつのホーム公衆陸上移動通信網のホーム・ロケーション・レジスタの管理機能に、公衆陸上移動通信網または在圏ロケーションレジスタ・サービスエリアからサービスを受けている前記移動局で変化の通知を受信することを登録する工程と、
ａ２）前記移動局のホーム公衆陸上移動通信網の前記管理機能から、前記移動局にサービスを提供している前記公衆陸上移動通信網または在圏ロケーション・レジスタ・サービスエリアを表示している変化の通知を受信する工程と
を含む請求項１乃至４のいずれか１項に記載の方法。
【請求項１２】
下位地理的サービスエリアは、ロケーション・サービス・エリアを含んでもよく、前記移動局が、下位地理的サービスエリアからサービスを受けているか監視する前記工程は、
ｃ１）前記移動局の前記ホーム公衆陸上移動通信網のホーム・ロケーション・レジスタの移動機能に、ロケーション・サービス・エリアからサービスを受けている前記移動局で変化の通知を受信することを登録する工程と、
ｃ２）前記ホーム公衆陸上移動通信網の移動機能から、前記移動局にサービスを提供するロケーション・サービス・エリアを表示している変化の通知を受信する工程と
を含む請求項１１に記載の方法。
【請求項１３】
ｐ）上位地理的サービスエリアからサービスを受ける移動局を検出したときに、前記移動局内における、位置情報を提供するためのコンピュータで実行可能な命令を含む最新のコンピュータアプリケーションプログラムの存在を検証する工程と、
ｑ）前記移動局内において、位置情報を提供するための最新のコンピュータアプリケーションプログラムの不存在が検出されたとき、位置情報を提供するための前記最新のコンピュータアプリケーションプログラムを前記移動局にダウンロードし、前記最新のコンピュータアプリケーションプログラムを前記移動局にインストールする工程と
を更に有する請求項１乃至４のいずれか１項に記載の方法。
【請求項１４】
専用サービスを移動局に提供する移動通信システムであって、
各々が、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリア及び或る下位地理的サービスエリア内に存在している、少なくともひとつの移動通信ネットワークと、
位置情報を格納する手段と、
専用サービスエリア及び前記移動局のＩＤに関連する位置情報を格納する前記手段に動作可能に接続され、また、前記少なくともひとつの通信ネットワークを介して前記移動局に動作可能に接続され、また、少なくとも一つの移動通信ネットワークの少なくとも一つの管理機能に動作可能に接続されており、請求項１乃至１３のいずれか１項に記載の方法の工程を実行するよう構成された処理手段と
を備えた移動通信システム。
【請求項１５】
位置情報を格納する前記手段は、移動局のＩＤにリンクされたサービスエリア情報を有するデータベースを備える請求項１４記載のシステム。
【請求項１６】
移動局に対して専用サービスを提供する処理手段であって、
前記処理手段は、専用サービスエリア及び前記移動局のＩＤに関連する位置情報を格納する手段に動作可能に接続され、また、少なくともひとつの通信ネットワークを介して前記移動局に動作可能に接続されており、それによって前記少なくとも一つの移動通信ネットワークは、前記処理手段を、前記少なくともひとつの移動通信ネットワークの管理機能に接続しており、
前記少なくともひとつの移動通信ネットワークの各々は、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリア及び或る下位地理的サービスエリア内に存在しており、
請求項１乃至１３のいずれか１項に記載の方法の工程を実行するよう構成された処理手段。
【請求項１７】
専用サービスエリア内において専用サービスを受けるのに適しており、少なくとも一つの移動通信ネットワークを介して処理手段に動作可能に接続されている移動局であって、
前記少なくとも一つの移動通信ネットワークの各々は、移動局へのサービスの提供に適した複数の上位地理的サービスエリアを含み、前記複数の上位地理的サービスエリアの少なくともひとつは、前記移動局へのサービスの提供に適した少なくともひとつの下位地理的サービスエリアを含み、専用サービスエリアが或る上位地理的サービスエリア及び或る下位地理的サービスエリア内に存在しており、
前記処理手段により始動された後に、前記通信ネットワークを介して前記処理手段に対して位置情報を提供するよう構成されている移動局。
【請求項１８】
前記移動局が上位地理的サービスエリアからサービスを受けていることを前記処理手段により検出したとき、前記処理手段によりスタンバイモードで稼働可能な請求項１７に記載の移動局。
【請求項１９】
前記移動局内において、位置情報を提供するための最新のコンピュータアプリケーションプログラムの不存在が前記処理手段によって検出されたとき、コンピュータで実行可能な命令を含んだ、位置情報を提供するための前記最新のコンピュータアプリケーションプログラムをダウンロードしてインストールするよう更に構成された請求項１８に記載の移動局。
【国際調査報告】
2009514276.tif 000015
2009514276.tif 000016
2009514276.tif 000017